(57)【要約】【解決手段】  シリンダヘッドガスケット１は、燃焼室孔ビード２ａ、３ａと水孔ビード２ｂ、３ｂとを備えている。燃焼室孔ビードと水孔ビードは断面台形状に形成してあり、断面台形状の一方の傾斜面を上記燃焼室孔ビード２ａ、３ａとし、他方の傾斜面を水孔ビード２ｂ、３ｂとしてある。上記燃焼室孔ビードの傾斜面の高さＨ１は水孔ビードの傾斜面の高さＨ２よりも高く設定してあり、及び／又は、上記燃焼室孔ビードの傾斜面の幅Ｗ１を水孔ビードの傾斜面の幅Ｗ２よりも狭く設定してある。【効果】  断面台形状の一方の傾斜面を燃焼室孔ビードとし、他方の傾斜面を水孔ビードとしているので、燃焼室孔ビードと水孔ビードとを別個に形成する場合に比較して、燃焼室孔５と水孔８とを近接した位置に形成することが可能となる。また、燃焼室孔ビードの面圧と水孔ビードの面圧をそれぞれ最適な面圧に設定することができる。【選択図】  図２
2014152820.tif 000002
【特許請求の範囲】
【請求項１】
シリンダヘッドとシリンダブロックとの間に挟持されるガスケット基板と、上記ガスケット基板に設けられて燃焼室孔を無端状に囲繞する燃焼室孔ビードと、上記燃焼室孔ビードの外側で上記ガスケット基板に設けられ、水孔からの水が燃焼室孔内へ流入するのを阻止する水孔ビードとを備えたシリンダヘッドガスケットにおいて、
上記燃焼室孔ビードと水孔ビードとを断面台形状に形成して、該断面台形状の一方の傾斜面を上記燃焼室孔を無端状に囲繞する燃焼室孔ビードとするとともに、該断面台形状の他方の傾斜面を上記燃焼室孔ビードと上記水孔との間の位置に形成して水孔ビードとし、かつ該水孔ビードを上記燃焼孔を無端状に囲繞するように形成して上記水孔からの水が燃焼室孔内へ流入するのを阻止させ、
さらに上記燃焼室孔ビードの傾斜面の高さを水孔ビードの傾斜面の高さよりも高く設定し、及び／又は、上記燃焼室孔ビードの傾斜面の幅を水孔ビードの傾斜面の幅よりも狭く設定したことを特徴とするシリンダヘッドガスケット。
【請求項２】
上記シリンダヘッドガスケットは、上下に重合された２枚のガスケット基板を備えており、各ガスケット基板に形成された上記燃焼室孔ビードと水孔ビードとは上下の同一位置に形成されて、上側のガスケット基板に形成された上記燃焼室孔ビードと水孔ビードとは上側に突出し、下側のガスケット基板に形成された上記燃焼室孔ビードと水孔ビードとは下側に突出していることを特徴とする請求項１に記載のシリンダヘッドガスケット。
【請求項３】
上記２枚のガスケット基板の間にシムプレートが介在されており、該シムプレートは、上記燃焼室孔の位置から、上下の燃焼室孔ビードと水孔ビードとを越えた位置まで伸びて、上記シリンダヘッドガスケットは該シムプレートが介在された部分で３枚構成となり、シムプレートよりも外側部分で２枚構成となっていることを特徴とする請求項２に記載のシリンダヘッドガスケット。
【請求項４】
上記ガスケット基板の外側に、上記燃焼室孔と水孔の外側を囲むハーフビードが設けられていることを特徴とする請求項１ないし請求項３のいずれかに記載のシリンダヘッドガスケット。
【発明の詳細な説明】
【技術分野】
【０００１】
本発明はシリンダヘッドガスケットに関し、より詳しくは、燃焼室孔を無端状に囲繞する燃焼室孔ビードと、水孔を囲む水孔ビードとを備えたシリンダヘッドガスケットに関する。
【背景技術】
【０００２】
従来、シリンダヘッドガスケットとして、シリンダヘッドとシリンダブロックとの間に挟持されるガスケット基板と、上記ガスケット基板に設けられて燃焼室孔を無端状に囲繞する燃焼室孔ビードと、上記燃焼室孔ビードの外側で上記ガスケット基板に設けられ、水孔からの水が燃焼室孔内へ流入するのを阻止する水孔ビードとを備えたものが知られている（特許文献１）。
上記シリンダヘッドガスケットにおいては、燃焼室孔ビードと水孔ビードとはそれぞれ離隔した位置に別個に設けられており、燃焼室孔ビードは燃焼室孔を無端状に囲繞して、該燃焼室孔内の燃焼ガスが外部に洩れるのを防止するようになっている。
他方、水孔ビードは水孔の周囲を無端状に囲繞して、該水孔内の水が外部に洩れて上記燃焼室孔内へ流入することがないようになっている。
【先行技術文献】
【特許文献】
【０００３】
【特許文献１】特開平９−７２４２３号公報
【発明の概要】
【発明が解決しようとする課題】
【０００４】
ところで、エンジンによっては上記水孔を燃焼室孔に近接した位置に設ける必要があるが、従来のシリンダヘッドガスケットにおいては、上述したように燃焼室孔ビードと水孔ビードとはそれぞれ離隔した位置に別個に設けていたため、両者を近接した位置に設けることに一定の限界があり、望む位置に水孔を形成することが困難になることがあった。
本発明はそのような事情に鑑み、従来に比較して水孔を燃焼室孔に近接した位置に設けることが可能なシリンダヘッドガスケットを提供するものである。
【課題を解決するための手段】
【０００５】
すなわち本発明は、シリンダヘッドとシリンダブロックとの間に挟持されるガスケット基板と、上記ガスケット基板に設けられて燃焼室孔を無端状に囲繞する燃焼室孔ビードと、上記燃焼室孔ビードの外側で上記ガスケット基板に設けられ、水孔からの水が燃焼室孔内へ流入するのを阻止する水孔ビードとを備えたシリンダヘッドガスケットにおいて、
上記燃焼室孔ビードと水孔ビードとを断面台形状に形成して、該断面台形状の一方の傾斜面を上記燃焼室孔を無端状に囲繞する燃焼室孔ビードとするとともに、該断面台形状の他方の傾斜面を上記燃焼室孔ビードと上記水孔との間の位置に形成して水孔ビードとし、かつ該水孔ビードを上記燃焼孔を無端状に囲繞するように形成して上記水孔からの水が燃焼室孔内へ流入するのを阻止させ、
さらに上記燃焼室孔ビードの傾斜面の高さを水孔ビードの傾斜面の高さよりも高く設定し、及び／又は、上記燃焼室孔ビードの傾斜面の幅を水孔ビードの傾斜面の幅よりも狭く設定したことを特徴とするものである。
【発明の効果】
【０００６】
上記構成によれば、上記燃焼室孔ビードと水孔ビードとを断面台形状に形成して、該断面台形状の一方の傾斜面を燃焼室孔ビードとするとともに他方の傾斜面を水孔ビードとしているので、燃焼室孔ビードと水孔ビードとを別個に形成する場合に比較して、燃焼室孔と水孔とを近接した位置に形成することが可能となる。
また上記水孔ビードは、上記燃焼孔を無端状に囲繞するように形成してあるので、水孔からの水が燃焼室孔内へ流入するのを阻止することができる。
さらに上記燃焼室孔ビードの傾斜面の高さを水孔ビードの傾斜面の高さよりも高く設定し、及び／又は、上記燃焼室孔ビードの傾斜面の幅を水孔ビードの傾斜面の幅よりも狭く設定してあるので、燃焼室孔ビードの面圧と水孔ビードの面圧をそれぞれ最適な面圧に設定することができる。より具体的には、燃焼室孔の周囲の面圧を高くして燃焼ガスが外部に洩れるのを良好に防止することができると同時に、水孔の周囲の面圧を低くして耐久性の向上を図りながら水が燃焼室孔内に流入するのを良好に防止することができる。
【図面の簡単な説明】
【０００７】
【図１】本発明の第１実施例を示す平面図
【図２】図１のＩＩ―ＩＩ線に沿う断面図
【図３】本発明の第２実施例を示す断面図
【図４】本発明の第３実施例を示す断面図
【発明を実施するための形態】
【０００８】
以下、図示実施例について本発明を説明すると、図１、図２において、シリンダヘッドガスケット１は、図示しない上方のシリンダヘッドの下面に当接する上方側の第１ガスケット基板２と、図示しない下方のシリンダブロックの上面に当接する下方側の第２ガスケット基板３と、さらに両第１ガスケット基板２と第２ガスケット基板３との間に配置されたシムプレート４とを備えている。
上記２枚のガスケット基板２、３とシムプレート４は、図示実施例では、上記シリンダブロックに直列に設けられた４つのシリンダボアのそれぞれに対応した位置に４つの燃焼室孔５を備えている。
【０００９】
上記２枚のガスケット基板２、３は、図示しないシリンダブロックの上面の全域を覆うことができるように概略方形状に形成してあるが、上記シムプレート４は上記燃焼室孔５の周囲の部分のみを囲繞することができるようにリング状に形成してあり、かつ隣接する燃焼室孔５、５の間でそのリング状部分を相互に連結することにより、１枚のシムプレート４に４つの燃焼室孔５を形成してある。なお上記シムプレート４は、それぞれの燃焼室孔５を独立して囲繞するように別体に構成してもよい。
【００１０】
上記各ガスケット基板２、３は、各燃焼室孔５の周囲に複数の水孔８を備えており、これら水孔８の外側となる位置に、上記シリンダヘッドとシリンダブロックとを締結するための複数のボルト孔９を形成してある。
またこれら複数のボルト孔９の外側に、さらにブローバイガスを流通させるためのブローバイ孔１０を設けてある。
【００１１】
上記各ガスケット基板２、３には、それぞれ各ガスケット基板２、３に設けられて燃焼室孔５を無端状に囲繞する燃焼室孔ビード２ａ、３ａを形成してあり、また各燃焼室孔ビード２ａ、３ａの外側には、上記水孔８からの水が燃焼室孔５内に流入するのを阻止する水孔ビード２ｂ、３ｂを形成してある。
上下２枚のガスケット基板２、３に形成した燃焼室孔ビード２ａ、３ａと水孔ビード２ｂ、３ｂとはそれぞれ上下の同一位置に形成してあり、上側の第１ガスケット基板２に形成した燃焼室孔ビード２ａと水孔ビード２ｂは上側のシリンダヘッドに向けて上方に突出し、下側の第２ガスケット基板３に形成した燃焼室孔ビード３ａと水孔ビード３ｂは下側のシリンダブロックに向けて下方に突出している。
【００１２】
上記燃焼室孔ビード２ａ、３ａと水孔ビード２ｂ、３ｂとは、図２に示すように両者を一体的に断面台形状に形成してあり、該断面台形状の一方の傾斜面を上記燃焼室孔５を無端状に囲繞する燃焼室孔ビード２ａ、３ａとしてある。各燃焼室孔ビード２ａ、３ａはそれぞれ独立して燃焼室孔５を囲繞するように形成してあり、各燃焼室孔ビード２ａ、３ａによって燃焼室孔５内の燃焼ガスが外部に洩れるのを防止できるようにしてある。
他方、上記該断面台形状の他方の傾斜面は水孔ビード２ｂ、３ｂとしてあり、各水孔ビード２ｂ、３ｂは、図１に示すように、上記燃焼室孔ビード２ａ、３ａと上記水孔８との間の位置に位置して、かつ４つの燃焼孔５を共通に無端状に囲繞するように形成してある。つまり各水孔ビード２ｂ、３ｂは４つの燃焼孔５のそれぞれを独立して囲繞するのではなく、一本の水孔ビード２ｂ、３ｂで４つの燃焼孔５を共通に囲繞することができるように形成してある。
そして各水孔ビード２ｂ、３ｂは燃焼室孔ビード２ａ、３ａと水孔８との間の位置に位置しているので、水孔８からの水が燃焼室孔５内に流入するのを阻止することができる。
【００１３】
さらに図２に示すように、本実施例では、上記燃焼室孔ビード２ａ、３ａの傾斜面の高さＨ１は、水孔ビード２ｂ、３ｂの傾斜面の高さＨ２よりも高く設定してあり、かつ、上記燃焼室孔ビード２ａ、３ａの傾斜面の幅Ｗ１は、水孔ビード２ｂ、３ｂの傾斜面の幅Ｗ２よりも狭く設定してある。
したがって、上記燃焼室孔ビード２ａ、３ａによる各燃焼室孔５の周囲における面圧を高くすることができ、これにより燃焼室孔５内の燃焼ガスが外部に洩れるのを良好に防止することができる。
他方、水孔ビード２ｂ、３ｂの面圧は燃焼室孔５の周囲における面圧よりも低くすることができ、これにより該水孔ビード２ｂ、３ｂの耐久性の向上を図りながら水孔８からの水が燃焼室孔５内に流入するのを良好に防止することができる。
【００１４】
さらに、上記各ガスケット基板２、３の外側の上下同一部分に、上記水孔８の外側全体を無端状に囲み、かつブローバイ孔１０の内側となる位置にそれぞれ１本のハーフビード２ｃ、３ｃを設けてある。
各ハーフビード２ｃ、３ｃは上記燃焼室孔ビード２ａ、３ａと水孔ビード２ｂ、３ｂの突出方向と同一方向となるように突出させてあり、これらハーフビード２ｃ、３ｃによって上記水孔８からの水がブローバイ孔１０内に流入するのを防止すると同時に、外側に洩れるのを防止している。
【００１５】
また、上記２枚のガスケット基板２、３の間に設けたシムプレート４は、上記燃焼室孔５の位置から、上下の燃焼室孔ビード２ａ、３ａと水孔ビード２ｂ、３ｂとを越えた位置まで伸びており、それによってシリンダヘッドガスケット１は、シムプレート４が介在された部分で３枚構成となり、シムプレート４よりも外側部分で２枚構成となっている。
このような構成により、上記シムプレート４を設けた範囲の面圧をその他の部分の面圧よりも高めることができ、それによって上記燃焼室孔ビード２ａ、３ａと水孔ビード２ｂ、３ｂとのそれぞれのシール効果を高めることができる。
【００１６】
図３は本発明の第２実施例を示したもので、本実施例では、上記燃焼室孔ビード２ａ、３ａの傾斜面の高さＨ１は、水孔ビード２ｂ、３ｂの傾斜面の高さＨ２よりも高く設定してあるが、燃焼室孔ビード２ａ、３ａの傾斜面の幅Ｗと水孔ビード２ｂ、３ｂの傾斜面の幅Ｗとは同一に設定してある。
その他の構成は、第１実施例と同様に構成してある。
上記構成を有する第２実施例においても、上記燃焼室孔ビード２ａ、３ａの面圧を高く、水孔ビード２ｂ、３ｂの面圧を低く設定することができるので、第１実施例と同様な作用効果を得ることができる。
【００１７】
図４は本発明の第３実施例を示したもので、本実施例では、上記燃焼室孔ビード２ａ、３ａの傾斜面の高さＨと水孔ビード２ｂ、３ｂの傾斜面の高さＨとを同一に設定してあるが、燃焼室孔ビード２ａ、３ａの傾斜面の幅Ｗ１は、水孔ビード２ｂ、３ｂの傾斜面の幅Ｗ２よりも狭く設定してある。
その他の構成は、第１実施例と同様に構成してある。
上記構成を有する第３実施例においても、上記燃焼室孔ビード２ａ、３ａの面圧を高く、水孔ビード２ｂ、３ｂの面圧を低く設定することができるので、第１実施例と同様な作用効果を得ることができる。
【００１８】
なお、上記実施例では２枚のガスケット基板２、３と両者の間に設けたシムプレート４とによってシリンダヘッドガスケット１を構成しているが、これに限定されるものではない。必要に応じてシムプレート４を省略し、また一方のガスケット基板を省略することができる。
【符号の説明】
【００１９】
１  シリンダヘッドガスケット          ２、３  ガスケット基板
２ａ、３ａ  燃焼室孔ビード            ２ｂ、３ｂ  水孔ビード
２ｃ、３ｃ  ハーフビード              ４  シムプレート
５  燃焼室孔                          ８  水孔
【図１】
2014152820.tif 000003
【図２】
2014152820.tif 000004
【図３】
2014152820.tif 000005
【図４】
2014152820.tif 000006